(57)【要約】【課題】ファンをねじ止め又は専用の押さえ板ばねで固定する場合に比べて、より効率的にファン及び回路収容体を組立及び分解することができる電気機器及びプロジェクタを提供する。【解決手段】キャビネット１に配された下半体２１及び上半体２２からなり、光源５２の電源回路５１を収容する回路収容体２と、電気回路５１を冷却するファン３とを備え、光源５２からの光を画像データに基づいて光変調し、光変調した変調光を投射するプロジェクタにおいて、ファン３を挿脱可能に装着する装着部を下半体２１の内側に備え、装着部に装着されたファン３を挿入方向へ押圧する押圧舌片を上半体２２に備える。【選択図】図１
2008026421.tif 000002
【特許請求の範囲】
【請求項１】
電気回路を収容する回路収容体と、前記電気回路を冷却するファンとを備える電気機器において、
前記回路収容体は、
前記ファンを挿脱可能に装着する装着部を内側に備える第１部材と、
前記装着部に装着された前記ファンを挿入方向へ押圧している第２部材と
を備えることを特徴とする電気機器。
【請求項２】
光源の電源回路を収容する回路収容体と、前記電源回路を冷却するファンとを備え、前記光源からの光を画像データに基づいて光変調し、光変調した変調光を投射するプロジェクタにおいて、
前記回路収容体は、
前記ファンを挿脱可能に装着する装着部を内側に備える第１部材と、
前記装着部に装着された前記ファンを挿入方向へ押圧している第２部材と
を備えることを特徴とするプロジェクタ。
【請求項３】
前記装着部は、
前記ファンの回転軸方向に対して略垂直な方向から前記ファンを挟持する第１挟持部と、
前記ファンを回転軸方向から挟持する第２挟持部と
を備えることを特徴とする請求項２に記載のプロジェクタ。
【請求項４】
前記ファンは、
回転軸に略一致した中心線を有する四角筒状の枠体を備え、
前記装着部は、
前記枠体の一の外面に当接する当接板と、
該当接板に対して略垂直に形成されており、前記ファンの回転軸方向に対して略垂直な方向から前記ファンの枠体を挟持する板状の第１挟持部と、
前記ファンの枠体を回転軸方向から挟持する板状の第２挟持部と
を備えることを特徴とする請求項２に記載のプロジェクタ。
【請求項５】
前記第２部材は、
前記枠体の頂点部分を挿入方向へ押圧する押圧部を備える
ことを特徴とする請求項４に記載のプロジェクタ。
【請求項６】
前記ファンは、モータを駆動するための回路を備え、
前記第１部材は、
前記回路を電磁遮蔽する導電性の遮蔽板を備える
ことを特徴とする請求項２乃至請求項５のいずれか一つに記載のプロジェクタ。
【請求項７】
前記第１部材及び第２部材と、前記ファンとの間に介装された防振部材を備える
ことを特徴とする請求項２乃至請求項６のいずれか一つに記載のプロジェクタ。
【請求項８】
前記ファン及び前記防振部材は一体である
ことを特徴とする請求項７に記載のプロジェクタ。
【請求項９】
前記回路収容体を内部に配したキャビネットを備え、
前記キャビネットは、
前記ファンの挿入方向両側から、前記回路収容体を介して前記ファンを押圧している突起を有する２つの部材を備える
ことを特徴とする請求項２乃至請求項８のいずれか一つに記載のプロジェクタ。
【発明の詳細な説明】
【技術分野】
【０００１】
本発明は、回路収容体に収容された電気回路を冷却するファンを備えた電気機器及びプロジェクタに関する。
【背景技術】
【０００２】
プロジェクタは、電気回路、例えば光源の電源回路を収容した回路収容体を備えており、光源、投射光学系等と共にキャビネット内に配設されている。回路収容体は、第１部材及び第２部材から構成されている。第１部材は、電源回路を収容するための開口を上部に有する略直方体形状である。第１部材の外側には冷却用のファンが防振ゴムを介してねじ止めされており、該ファンが電源回路を冷却している。第２部材は、第１部材の開口を覆うように形成されている。
【０００３】
一方、凹状の装着部を有する投射光学系を備え、該装着部に防振ゴムを介して装着されたファンを、専用の押さえ板金によって固定したプロジェクタが開示されている（例えば、特許文献１）。
【０００４】
また、凹状の装着部を有するキャビネットを備え、該装着部に防振ゴムを介して装着されたファンを専用の蓋体にて覆い、該蓋体をキャビネットにねじ止め固定したプロジェクタが開示されている（例えば、特許文献２）。
【０００５】
更に、冷却用のファンを囲繞する防振ゴムを備え、該防振ゴムをキャビネットにねじ止めした電気機器が開示されている（例えば、特許文献３）。
【０００６】
このように構成された電気機器及びプロジェクタにあっては、ファンの回転による振動が回路収容体及びキャビネットに伝達することを防ぐことができる。
【特許文献１】特開２００６−８４７８１号公報
【特許文献２】特開２００５−１７４５８号公報
【特許文献３】特開２０００−１６６２０７号公報
【発明の開示】
【発明が解決しようとする課題】
【０００７】
しかしながら、従来の電気機器及びプロジェクタにあっては、ファンを回路収容体に配設する場合、ねじ止め又は押さえ板金の取り付けが必要であり、資源を再利用すべくプロジェクタを分解する場合も、ねじ又は押さえ板金の取り外しが必要であるため、組立又は分解に手間を要するという問題があった。
【０００８】
本発明は、斯かる事情に鑑みてなされたものであり、ファンを挿脱可能に装着する装着部を第１部材の内側に備え、装着部に装着されたファンを第２部材が挿入方向へ押圧するように構成することにより、回路収容体に電気回路を収容すると共にファンを装着部に挿入することでファンをがたつき無く装着することが可能となり、ファンをねじ止め又は専用の押さえ板ばねで固定する場合に比べて、より効率的にファン及び回路収容体を組立及び分解することができる電気機器及びプロジェクタを提供することを目的とする。
【０００９】
本発明の他の目的は、ファンを回転軸方向及び該回転軸方向に対して略垂直な方向から挟持するように装着部を構成することにより、回転によってファン及び回路収容体が前記方向へ振動しないように、ファンを回路収容体に装着することができるプロジェクタを提供することにある。
【００１０】
本発明の他の目的は、装着部に装着されたファンを構成する四角筒状の枠体の頂点部分を挿入方向へ押圧する押圧部を第２部材に備えることにより、枠体の一面を第２部材が押圧する場合に比べて、枠体と第２部材との間に振動の原因となる間隙が生ずる虞は低く、ファンの回転によって回路収容体が振動することをより確実に防ぐことができるプロジェクタを提供することにある。
【００１１】
本発明の他の目的は、ファンを駆動するための回路を電磁遮蔽する遮蔽板を第１部材に備えることにより、モータを装着部に装着するのみで前記回路を静電気から保護することができるプロジェクタを提供することにある。
【００１２】
本発明の他の目的は、第１部材及び第２部材と、ファンとの間に防振部材を介装することにより、ファンの回転による振動が回路収容体に伝達することを防ぐことができるプロジェクタを提供することにある。
【００１３】
本発明の他の目的は、ファン及び防振部材を一体に構成することにより、ファン及び防振部材をまとめて装着部に装着することが可能となり、ファン及び防振部材が別体である場合に比べて、より効率的にファンを装着部に装着することができるプロジェクタを提供することにある。
【００１４】
本発明の他の目的は、回路収容体を内部に配したキャビネットを構成する２つの部材に、ファンの挿入方向両側から、第１部材及び第２部材を介してファンを押圧する突起を備えることにより、装着部近傍にて第１部材及び第２部材をねじ止めすることなく、ファンを装着部に保持することができ、ファンの回転による振動が回路収容体及びキャビネットに伝達することをより効果的に防ぐことができるプロジェクタを提供することにある。
【課題を解決するための手段】
【００１５】
本発明に係る電気機器は、電気回路を収容する回路収容体と、前記電気回路を冷却するファンとを備える電気機器において、前記回路収容体は、前記ファンを挿脱可能に装着する装着部を内側に備える第１部材と、前記装着部に装着された前記ファンを挿入方向へ押圧している第２部材とを備えることを特徴とする。
【００１６】
本発明に係るプロジェクタは、光源の電源回路を収容する回路収容体と、前記電源回路を冷却するファンとを備え、前記光源からの光を画像データに基づいて光変調し、光変調した変調光を投射するプロジェクタにおいて、前記回路収容体は、前記ファンを挿脱可能に装着する装着部を内側に備える第１部材と、前記装着部に装着された前記ファンを挿入方向へ押圧している第２部材とを備えることを特徴とする。
【００１７】
本発明に係るプロジェクタは、前記装着部が、前記ファンの回転軸方向に対して略垂直な方向から前記ファンを挟持する第１挟持部と、前記ファンを回転軸方向から挟持する第２挟持部とを備えることを特徴とする。
【００１８】
本発明に係るプロジェクタは、前記ファンが、回転軸に略一致した中心線を有する四角筒状の枠体を備え、前記装着部は、前記枠体の一の外面に当接する当接板と、該当接板に対して略垂直に形成されており、前記ファンの回転軸方向に対して略垂直な方向から前記ファンの枠体を挟持する板状の第１挟持部と、前記ファンの枠体を回転軸方向から挟持する板状の第２挟持部とを備えることを特徴とする。
【００１９】
本発明に係るプロジェクタは、前記第２部材が、前記枠体の頂点部分を挿入方向へ押圧する押圧部を備えることを特徴とする。
【００２０】
本発明に係るプロジェクタは、前記ファンが、モータを駆動するための回路を備え、前記第１部材は、前記回路を電磁遮蔽する導電性の遮蔽板を備えることを特徴とする。
【００２１】
本発明に係るプロジェクタは、前記第１部材及び第２部材と、前記ファンとの間に介装された防振部材を備えることを特徴とする。
【００２２】
本発明に係るプロジェクタは、前記ファン及び前記防振部材は一体であることを特徴とする。
【００２３】
本発明に係るプロジェクタは、前記回路収容体を内部に配したキャビネットを備え、前記キャビネットは、前記ファンの挿入方向両側から、前記回路収容体を介して前記ファンを押圧している突起を有する２つの部材を備えることを特徴とする。
【００２４】
本発明にあっては、第１部材は電気回路、例えばプロジェクタを構成する光源の電源回路を収容している。また、第１部材は装着部を内側に備えているため、電気回路を収容すると共に、装着部にファンを挿入することによってファンを第１部材に備えることができる。
そして、第１部材及び第２部材が結合した場合、第２部材は、装着部に装着されたファンを挿入方向へ押圧するため、がたつき無くファンが回路収容体に収容される。
【００２５】
本発明にあっては、装着部の第１挟持部は、ファンを回転軸方向に対して略垂直な方向から挟持する。第２挟持部は、ファンを回転軸方向から挟持する。
従って、ファンの回転によってファンが前記略垂直な方向及び前記回転軸方向へ振動することを防ぐことができる。
より具体的には、ファンが備える枠体は四角筒状であり、枠体の略平行な２つの外面には、装着部の当接板と第２部材とが夫々当接して、枠体を挟持している。また、枠体の他の略平行な２つの外面には、板状の第１挟持部が当接して、枠体を挟持している。更に、枠体の中心線に略垂直な２つの端面には、板状の第２挟持部が当接して枠体を挟持している。
従って、ファンを構成する枠体は３方向からがたつき無く挟持されるため、ファンの回転による振動が回路収容体に伝達することを防ぐことができる。
【００２６】
本発明にあっては、第２部材が備える押圧部が四角筒状の枠体の頂点部分を挿入方向へ押圧している。
従って、枠体の全面を押圧する場合に比べて、振動の原因となる枠体と第２部材と間隙が生ずる虞は低く、ファンの回転による振動が回路収容体に伝達することをより確実に防ぐことができる。
【００２７】
本発明にあっては、モータを駆動するための回路をファンが備えており、該回路は遮蔽板によって電磁遮蔽されている。
従って、帯電した物体、例えば人の指が前記回路部分に接近した場合であっても、人体に帯電した電荷は、遮蔽板に流れ、前記回路には流れない。
【００２８】
本発明にあっては、第１部材及び第２部材と、ファンとの間には防振部材が介装されているため、第１部材及び第２部材とファンとが直接当接している場合に比べて、ファンの回転による振動が回路収容体に伝達することをより効果的に防ぐことができる。
【００２９】
本発明にあっては、ファン及び防振部材が一体であるため、防振部材を備えたファンを装着部に挿入するのみで、ファンと装着部との間に防振部材を介装することができる。
【００３０】
本発明にあっては、キャビネットの内部に回路収容体が配されている。キャビネットは、突起を有する２つの部材からなる。２つの部材に夫々備えられた突起は、回路収容体を介してファンを挿入方向両側から押圧する。
従って、回路収容体の第１部材及び第２部材をねじ止めすることなく、第１部材及び第２部材をファンの挿入方向へ押圧することができ、ファンを回路収容体の装着部にがたつき無く保持することができる。
【発明の効果】
【００３１】
本発明によれば、回路収容体に電気回路を収容すると共に、ファンを挿入することで装着部に装着することが可能となり、ファンをねじ止め又は専用の押さえ板ばねで固定する場合に比べて、より効率的にファン及び回路収容体を組立及び分解することができる。
また、ファンを回路収容体に固定するための専用のねじが不要であるため、放電を防止するために前記ねじと電気回路とを所定長離隔させる必要がなく、回路収容体を小型化することができる。
【００３２】
本発明によれば、ファンの回転によって回路収容体が振動しないように、ファンを回路収容体に装着することができる。
【００３３】
本発明によれば、枠体の一面を第２部材が押圧する場合に比べて、枠体と第２部材との間に振動の原因となる間隙が生ずる虞は低く、ファンの回転によって回路収容体が振動することをより確実に防ぐことができる
【００３４】
本発明によれば、モータを装着部に装着するのみで、モータを駆動するための回路を電磁遮蔽することができ、該回路を静電気から保護することができる。
【００３５】
本発明によれば、ファンの回転による振動が回路収容体に伝達することを防振部材によって防ぐことができる。
【００３６】
本発明によれば、ファン及び防振部材が別体である場合に比べて、より効率的にファンを装着部に装着することができる。
【００３７】
本発明によれば、装着部近傍にて第１部材及び第２部材をねじ止めすることなく、ファンを装着部に保持することができ、ファンの回転による振動が回路収容体及びキャビネットに伝達することをより効果的に防ぐことができる。
【発明を実施するための最良の形態】
【００３８】
以下、本発明をその実施の形態を示す図面に基づいて詳述する。
（実施の形態１）
図１は、本発明の実施の形態１に係るプロジェクタの全体構成を模式的に示す分解斜視図である。
図中１は、略直方体のキャビネットであり、下キャビネット半体１１及び上キャビネット半体１２（２つの部材）から構成されている。下キャビネット半体１１には、光源５２に電力を供給する電源回路５１、冷却用のファン３等を収容した回路収容体２が配設されている。回路収容体２は、通気用の孔部を複数形成した導電性の下半体２１（第１部材）及び上半体２２（第２部材）から構成されている。なお、図１では、説明の便宜上、通気用の孔部を省略した回路収容体２を図示している。
【００３９】
図２は、ファン３及び電源回路５１を取り外した下半体２１を模式的に示す斜視図である。下半体２１は、一の頂点を切り欠いた略長方形の収容体底板２１ａを備えている。収容体底板２１ａの一の短辺側には、略垂直に屈曲した矩形の屈曲板２１ｅが形成されており、屈曲板２１ｅより外側には、ファン３を挿脱可能に装着する角形の装着部２３が形成されている。収容体底板２１ａの他の短辺及び各長辺には３枚の側壁２１ｂ、２１ｃ、２１ｄが略垂直に形成されている。
【００４０】
図３は、回路収容体２の内側から見た下半体２１及びファン３を模式的に示す分解斜視図、図４は、回路収容体２の外側から見た下半体２１及びファン３を模式的に示す分解斜視図である。
【００４１】
ファン３は、例えばブラシレスＤＣモータを備えた角形軸流ファンであり、四角筒状の枠体３０を備えている。枠体３０は、図４に示すように回転軸が枠体３０の中心線に略一致するようにモータ３１を支持する支持体３３を形成している。
モータ３１は、図示しない固定子及び略円柱状の回転子３１ａからなり、回転子３１ａにはインペラ３２が周設されている。
支持体３３は、モータ３１に倣う円盤状部分３３ａを備え、円盤状部分３３ａは、枠体３０から中心方向へ延設された３本の腕部３３ｂ，３３ｂ，３３ｂによって支持されている。一の腕部３３ｂには、モータ３１に給電する給電線を枠体３０の外側へ案内する案内溝３３ｃが形成されている。また、円盤状部分３３ａには、モータ３１を駆動するための回路３４、例えばインバータ回路が配設されている。
また、枠体３０の４つの角部には、エラストマー性の防振ゴム４、・・・、４（防振部材）、例えばコーナーブッシュが嵌合している。
【００４２】
装着部２３は、屈曲板２１ｅの上端部から、収容体底板２１ａに略平行になるように外側方向へ延設された装着部底板２３ａを備えている。装着部底板２３ａは、枠体３０の一の矩形外面に倣う略長方形である。装着部底板２３ａの各短辺部分には、枠体挟持壁２３ｂ、２３ｂ（第１挟持部）が装着部底板２３ａに対して略垂直に形成されている。枠体挟持壁２３ｂ、２３ｂは、略矩形であり、ファン３の回転軸方向に対して略垂直な方向から枠体３０を挟持する。
装着部底板２３ａの外側の長辺部分には、枠体３０の送風方向側の縁部分に倣い、回転軸方向から枠体３０を挟持するための挟持枠２３ｄが略垂直に形成されており、内側の長辺部分には回転軸方向から枠体３０の下方の２つの角部を挟持する２枚の角部挟持片２３ｃ、２３ｃが装着部底板２３ａに対して略垂直に形成されている。角部挟持片２３ｃ、２３ｃは、送風方向からみて略直角三角形状である。
【００４３】
また、挟持枠２３ｄには、ファン３の円盤状部分３３ａ及び腕部３３ｂ，３３ｂ，３３ｂを覆い、インペラ３２部分のみが露出するように形成された遮蔽板２３ｅが延設されている。つまり、遮蔽板２３ｅは、ファン３のモータ３１を駆動する回路３４を遮蔽する回路遮蔽部と、モータに給電する給電線を遮蔽する給電線遮蔽部とを備えている。回路遮蔽部は、ファン３の送風方向から見て円盤状部分３３ａと略同一形状であり、給電線遮蔽部は、腕部３３ｂと略同一形状である。
【００４４】
図５は、回路収容体２の内側から見た下半体２１及びファン３の組立状態を模式的に示す斜視図である。ファン３を、下半体２１の上方から図３及び図４で示す矢印方向、つまり下方へ、装着部２３に挿入した場合、枠体３０と装着部２３との間には防振ゴム４、・・・、４が介装され、ファン３が装着部２３に装着される。装着部２３に装着されたファン３の枠体３０は、挟持枠２３ｄと角部挟持片２３ｃ、２３ｃとによって回転軸方向から挟持され、枠体挟持壁２３ｂ、２３ｂによって前記回転軸方向に略垂直な方向から挟持される。
【００４５】
図６は、回路収容体２を構成する上半体２２及び下半体２１を模式的に示す分解斜視図である。
下半体２１の収容体底板２１ａには電源回路５１が配設され、装着部２３にファン３が装着されている。上半体２２は、下半体２１の上方を覆うように形成された収容体天板２２ａを備えており、下半体２１及び上半体２２が結合した場合、ファン３及び電源回路５１は回路収容体２に収容される。
【００４６】
収容体天板２２ａは、装着部２３の天側を覆う覆部２２ｂを有しており、覆部２２ｂには、装着部２３に装着された枠体３０の上側角部を、防振ゴム４、４を介して挿入方向へ押圧する矩形板状の２枚の押圧舌片２２ｃ、２２ｃが曲成されている。
【００４７】
図７は、キャビネット１内に配された回路収容体２の要部を模式的に示す縦断面図、図８は、上キャビネット半体１２及び下キャビネット半体１１の模式図である。なお、説明の便宜上、モータ３１、インペラ３２等を省略してファン３を図示している。
下キャビネット半体１１は、略矩形の底板１１ａを備えている。底板１１ａには、装着部底板２３ａに当接して、装着部底板２３ａを下方から上方へ、つまり底板１１ａ側からファン３の挿入方向逆向きに押圧する２本の押圧突起１１ｂが略垂直に突設されている。２本の押圧突起１１ｂは、装着部底板２３ａを介して枠体３０の下方の角部を押圧するように離隔している。
また、底板１１ａには側部１１ｃが周設されており、側部１１ｃは、装着部２３及びファン３に対向する箇所にスリット状の排気孔１１ｄを備えている。
【００４８】
上キャビネット半体１２は、底板１１ａと略同型の天板１２ａを備えている。天板１２ａには、収容体天板２２ａの覆部２２ｂに当接して、覆部２２ｂを上方から下方へ、つまり天板１２ａ側からファン３の挿入方向へ押圧する２本の押圧突起１２ｂが略垂直に突設されている。押圧突起１２ｂは押圧突起１１ｂと同様に、覆部２２ｂを介して枠体３０の上方の角部を押圧するように離隔している。
【００４９】
下キャビネット半体１１及び上キャビネット半体１２が結合した場合、押圧突起１１ｂ、１２ｂは、装着部底板２３ａ及び覆部２２ｂを挿入方向両側から押圧する。従って、装着部２３に装着されたファン３は、装着部底板２３ａ及び覆部２２ｂに曲成された押圧舌片２２ｃ、２２ｃによって挿入方向両側から挟持される。
【００５０】
図９は、プロジェクタの内部構成を示すブロック図である。
光源５２は、例えば超高圧水銀ランプ、メタルハライドランプ等であり、回路収容体２に収容された電源回路５１から給電される。光源５２が発した白色光は、回転放物面状の反射鏡によって反射されてカラーホイール５３を透過し、ロッドインテグレータ５７に入射する。
【００５１】
カラーホイール５３は、赤・緑・青の光を夫々透過させる扇状のカラーフィルタを周方向に配しており、カラーフィルタの回転通過域に光源５２の投光域が位置するように配置されている。
【００５２】
カラーホイール５３の中心部には、モータ駆動部５５により回転駆動されるモータ５４の出力軸が接続されており、モータ駆動部５５はモータ５４を等速回転させる。モータ５４の回転は、マイクロコンピュータからなる制御部５６によって制御される。また、制御部５６は、ファン駆動部３ａを介してファン３の回転を制御している。
【００５３】
カラーホイール５３が等速回転している場合、白色光は赤色、緑色及び青色のカラーフィルタに順次的に入射し、時系列で赤・緑・青の光に色時分割される。色時分割された光は、略長方形のロッドインテグレータ５７の入射口に入射し、入射した光は、ロッドインテグレータ５７の内面で反射を繰り返して均一な光となり、出射口から照明レンズ群５８に入射する。
【００５４】
照明レンズ群５８は、例えばコンデンサレンズ及びリレーレンズからなり、白色光を光変調素子５９、例えばＤＭＤに入射させる。ＤＭＤは、画像データに係る画像の各ドットに対応付けられた複数の微小可動ミラーを備えている。ＤＭＤにはＤＭＤ駆動部６０が接続されており、ＤＭＤ駆動部６０は、制御部５６から与えられた画像データに基づいて、色時分割された赤・緑・青の光が、投射レンズ６１へ又は投射レンズ６１外へ選択的に反射するように、各微小可動ミラーを選択的に±１０度傾ける。ＤＭＤに入射した光は、ＤＭＤの微小可動ミラーにより光変調され、光変調された変調光は、投射レンズ６１に入射する。
【００５５】
投射レンズ６１は、変調光、即ち画像を拡大表示する光をスクリーンに投射する。その結果、画像データに係る画像がスクリーンに色時分割表示される。
【００５６】
このように構成されたプロジェクタにあっては、回路収容体２及び電源回路５１の組立工程で、装着部２３にファン３を挿入することによって、ファン３を装着部２３に装着させることができる。また、電源回路５１を収容すべく下半体２１及び上半体２２を結合した場合、装着部２３に装着されたファン３は、上半体２２の押圧舌片２２ｃ、２２ｃによって挿入方向に押圧されるため、ファン３はがたつき無く装着部２３に装着される。
従って、回路収容体２に電気回路を収容すると共に、ファン３を回路収容体２に収容することができ、ファン３をねじ止め又は専用の押さえ板ばねで固定する場合に比べて、より効率的にファン３及び回路収容体２を組み立てることができる。
【００５７】
一方、回路収容体２及び電源回路５１の分解工程で、装着部２３からファン３を抜き出すことによって、ファン３を装着部２３から取り外すことができる。
従って、ねじ又は専用の押さえ板ばねでファン３を固定している場合に比べて、より効率的にファン３及び回路収容体２を分解することができる。
【００５８】
また、装着部２３に収容されたファン３は、装着部底板２３ａ及び押圧舌片２２ｃ、２２ｃと、枠体挟持壁２３ｂ、２３ｂとによって四方から挟持され、挟持枠２３ｄ及び角部挟持片２３ｃ、２３ｃによって回転軸方向から挟持される。従って、ファン３の回転によって回路収容体２が振動しないように、ファン３を回路収容体２に装着することができる。
【００５９】
更に、上半体２２の押圧舌片２２ｃ、２２ｃが枠体３０の角部を挿入方向へ押圧しているため、枠体３０の一面を上半体２２が押圧する場合に比べて、枠体３０と上半体２２との間に振動の原因となる間隙が生ずる虞は低く、ファン３の回転によって回路収容体２が振動することをより確実に防ぐことができる。
【００６０】
更にまた、下半体２１は、モータ３１を駆動するための回路３４及び給電線を電磁遮蔽する遮蔽板２３ｅを備えているため、装着部２３にファン３を挿入するのみで、回路３４を電磁遮蔽することができ、静電気から保護することができる。
【００６１】
更にまた、ファン３の回転による振動が回路収容体２に伝達することを防振ゴム４、・・・、４によって防ぐことができる。
【００６２】
更にまた、装着部２３近傍にて上半体２２及び下半体２１をねじ止めすることなく、ファン３を装着部２３に保持することができ、ファン３の回転による振動が回路収容体２及びキャビネット１に伝達することをより効果的に防ぐことができる。
【００６３】
なお、実施の形態１にあっては、ファンを備えたプロジェクタを説明したが、冷却用のファンを備えた電気機器、例えばハードディスクレコーダ、ＤＶＤレコーダ、液晶テレビ、パーソナルコンピュータ等に本発明を適用しても良い。
また、光変調素子としてＤＭＤを備えたプロジェクタを説明したが、液晶パネルを備えたプロジェクタに本発明を適用しても良い。
更に、フロント型のプロジェクタを説明したが、リア型のプロジェクタに本発明を適用しても良い。
【００６４】
更にまた、枠体挟持壁及び角部挟持片を下半体に設けてあるが、上半体、又は下半体及び上半体に枠体挟持壁及び角部挟持片を備えるように構成しても良い。
【００６５】
更にまた、三角形状の角部挟持片を説明したが、ファンの枠体を回転軸方向から挟持することができるのであれば、他の形状であっても良い。
【００６６】
更にまた、上半体に押圧舌片を備えているが、ファンの枠体を上下方向から挟持することができるのであれば、他の構成でも良い。例えば柱状の突起を備えても良い。また、上半体の天面で直接押圧するように構成しても良い。
【００６７】
（実施の形態２）
図１０は、本発明の実施の形態２に係る回路収容体２及びファン３を回路収容体２の外側から見た模式的分解斜視図、図１１は、本発明の実施の形態２に係る回路収容体２の内側から見た下半体２１及びファン３の組立状態を模式的に示す斜視図である。
本発明の実施の形態２に係るプロジェクタは、装着部２２３及び防振ゴム２０４の構成のみが実施の形態１に係るプロジェクタと異なるため、以下では主に上記相違点を説明する。
【００６８】
防振ゴム２０４は、ファン３を構成する枠体３０の外周を囲繞しており、ファン３の枠体３０と防振ゴム２０４とが一体的に構成されている。例えば、防振ゴム２０４は、内寸法が枠体３０の外形寸法より小さく、枠体３０に外嵌して、枠体３０を締め付けている。
【００６９】
装着部２２３は、実施の形態１と同様の装着部底板２２３ａ、枠体挟持壁２２３ｂ、２２３ｂ、挟持枠２２３ｄ、遮蔽板２２３ｅを備えている。また、装着部２２３は、ファン３を回転軸方向から挟持する角部挟持片２２３ｃ、２２３ｃを、２枚の枠体挟持壁２２３ｂ、２２３ｂの下部及び上部に夫々形成しており、ファン３を構成する枠体３０の４つの頂点部分を夫々挟持している。
【００７０】
このように構成されたプロジェクタにあっては、ファン３及び防振ゴム２０４が別体である場合に比べて、より効率的にファン３を装着部２２３に装着することができる。
【００７１】
また、角部挟持片２２３ｃ、２２３ｃ及び挟持枠２２３ｄが枠体３０の４つの頂点部分を挟持しているため、下方の角部のみを挟持する場合に比べて、より確実にファン３の回転による振動が回路収容体２及びキャビネット１に伝達することを防ぐことができる。
【００７２】
実施の形態２に係るプロジェクタの他の構成、作用及び効果は、実施の形態１に係るプロジェクタと同様であるため、対応する箇所には同様の符号を付して、その詳細な説明を省略する。
【００７３】
なお、防振ゴムが枠体に外嵌している場合を説明したが、枠体を装着部に挿入する際に、枠体及び防振ゴムが分離しないように一体的に構成されていれば、他の構成でも良い。例えば枠体及び弾性部材を一体成形し、又は枠体及び弾性部材を接着しても良い。
【００７４】
また、実施の形態２にあっては、枠体の４つの頂点部分を挟持するように構成してあるが、枠体を回転軸方向から挟持することができる構成であれば、他の構成でも良い。
【００７５】
図１２は、変形例に係る回路収容体２の内側から見た下半体２１及びファン３の組立状態を模式的に示す斜視図である。
変形例では、枠体３０の３辺を挟持するためのＵ字型の挟持板３２３ｃが、装着部２２３の装着部底板２２３ａ及び枠体挟持壁２２３ｂ，２２３ｂに形成されており、挟持板３２３ｃ及び挟持枠３２３ｄが枠体３０を回転軸方向から挟持している。
このように構成されたプロジェクタにあっても、ファン３を回転軸方向から挟持することができる。また、挟持板３２３ｃは、ファンを挿入方向へ案内することができ、使用者は、ファン３をより容易に装着部２２３に装着することができる。
【図面の簡単な説明】
【００７６】
【図１】本発明の実施の形態１に係るプロジェクタの全体構成を模式的に示す分解斜視図である。
【図２】ファン及び電源回路を取り外した下半体を模式的に示す斜視図である。
【図３】回路収容体の内側から見た下半体及びファンを模式的に示す分解斜視図である。
【図４】回路収容体の外側から見た下半体及びファンを模式的に示す分解斜視図である。
【図５】回路収容体の内側から見た下半体及びファンの組立状態を模式的に示す斜視図である。
【図６】回路収容体を構成する上半体及び下半体を模式的に示す分解斜視図である。
【図７】キャビネット内に配された回路収容体の要部を模式的に示す縦断面図である。
【図８】上キャビネット半体及び下キャビネット半体の模式図である。
【図９】プロジェクタの内部構成を示すブロック図である。
【図１０】本発明の実施の形態２に係る回路収容体及びファンを回路収容体の外側から見た模式的分解斜視図である。
【図１１】本発明の実施の形態２に係る回路収容体の内側から見た下半体及びファンの組立状態を模式的に示す斜視図である。
【図１２】変形例に係る回路収容体の内側から見た下半体及びファンの組立状態を模式的に示す斜視図である。
【符号の説明】
【００７７】
１  キャビネット
２  回路収容体
３  ファン
４  防振ゴム（防振部材）
１１  下キャビネット半体（部材）
１１ｂ，１２ｂ  押圧突起
１２  上キャビネット半体（部材）
２１  下半体（第１部材）
２２  上半体（第２部材）
２２ａ  押圧舌片（押圧部）
２３  装着部
２３ａ  装着部底板（当接板）
２３ｂ  枠体挟持壁（第１挟持部）
２３ｃ  角部挟持片（第２挟持部）
２３ｄ  挟持枠（第２挟持部）
２３ｅ  遮蔽板
３０  枠体
３１  モータ
３４  回路
５１  電源回路
５２  光源
５６  制御部
５９  光変調素子
６１  投射レンズ
【図１】
2008026421.tif 000003
【図２】
2008026421.tif 000004
【図３】
2008026421.tif 000005
【図４】
2008026421.tif 000006
【図５】
2008026421.tif 000007
【図６】
2008026421.tif 000008
【図７】
2008026421.tif 000009
【図８】
2008026421.tif 000010
【図９】
2008026421.tif 000011
【図１０】
2008026421.tif 000012
【図１１】
2008026421.tif 000013
【図１２】
2008026421.tif 000014